(57)【要約】【課題】回転操作部と押釦部との間にガタを生じさせない複合入力装置の提供。【解決手段】導電パターン形成部２及び摺動子８を含む回転入力部を操作する回転操作部１３と、この回転操作部１３に昇降可能に配置され、固定接点３，４，５及び可動接点６を含む押圧入力部を操作する押釦部１４とを備えると共に、回転操作部１３と押釦部１４とを一体化させる可撓性の連結部１５を備えた構成にしてある。連結部１５と、回転操作部１３と、押釦部１４とは、例えば一体形成させたゴム体から成っている。また、連結部１５は、回転操作部１３と押釦部１４とを、押釦部１４の全周で連結している。【選択図】図２
2006004711.tif 000002
【特許請求の範囲】
【請求項１】
回転に伴なう信号を出力する回転入力部を操作する回転操作部と、この回転操作部に昇降可能に配置され、押圧に伴う信号を出力する押圧入力部を操作する押釦部とを備え、
上記回転操作部と上記押釦部とを一体化させる可撓性の連結部を備えたことを特徴とする複合入力装置。
【請求項２】
上記請求項１記載の発明において、
上記連結部は、上記回転操作部と上記押釦部とを、上記押釦部の全周で連結して成ることを特徴とする複合入力装置。
【請求項３】
上記請求項１記載の発明において、
上記連結部と上記回転操作部とは、一体形成したゴム体から成ることを特徴とする複合入力装置。
【請求項４】
上記請求項１記載の発明において、
上記押釦部の操作面を、上記回転操作部の操作面よりも硬質に設定したことを特徴とする複合入力装置。
【請求項５】
上記請求項１記載の発明において、
上記連結部と、上記回転操作部と、上記押釦部とは、一体形成したゴム体から成ることを特徴とする複合入力装置。
【請求項６】
上記請求項１記載の発明において、
上記回転操作部の外周縁に、導電性のカバー部材を備えたことを特徴とする複合入力装置。
【発明の詳細な説明】
【技術分野】
【０００１】
本発明は、回転に伴う信号を出力させる回転操作部と、押圧に伴う信号を出力させる押釦部を有し、携帯電話等の電子機器に活用される複合入力装置に関する。
【背景技術】
【０００２】
この種の従来技術として、例えば特許文献１に記載の技術がある。この従来技術は、回転操作を検出し信号を出力する回転入力部と、押圧操作を検出し信号を出力する押圧入力部と、上述の回転入力部を操作する回転操作部と、この回転操作部の中央部分に隙間を介して配置され、上述の押圧入力部を操作する押釦部とを備えている。この従来技術は、異なる信号を出力させる回転操作部の操作と押釦部の操作、すなわち、複合操作が可能になっている。
【特許文献１】特開２００３−２８１９７２公報
【発明の開示】
【発明が解決しようとする課題】
【０００３】
上述した従来技術は、回転操作と押圧操作のそれぞれを検出できるが、回転操作部と押釦部との間に隙間が形成されていることから、この隙間によるガタが生じやすい。このために製品品位が低下しやすい問題があった。
【０００４】
本発明は、上述した従来技術における実状からなされたもので、その目的は、回転操作部と押釦部との間にガタを生じさせない複合入力装置を提供することにある。
【課題を解決するための手段】
【０００５】
上記目的を達成するために、本発明は、回転に伴なう信号を出力する回転入力部を操作する回転操作部と、この回転操作部に昇降可能に配置され、押圧に伴う信号を出力する押圧入力部を操作する押釦部とを備え、上記回転操作部と上記押釦部とを一体化させる可撓性の連結部を備えたことを特徴としている。
【０００６】
このように構成した本発明は、回転操作部と押釦部とを連結部を介して一体化したことから、回転操作部と押釦部とを隙間を介在させることなく連結でき、これらの回転操作部と押釦部との間にガタを生じさせることがない。
【０００７】
また本発明は、上記発明において、上記連結部は、上記回転操作部と上記押釦部とを、上記押釦部の全周で連結して成ることを特徴としている。このように構成した本発明は、回転操作部と押釦部とが、押釦部の全周にわたって連結部で連結されているので、回転操作部と押釦部との境界部分からの塵埃や異物の侵入を防止できる。
【０００８】
また本発明は、上記発明において、上記連結部と上記回転操作部とは、一体形成したゴム体から成ることを特徴としている。このように構成した本発明は、回転操作部と、この回転操作部を操作する指との滑りをなくし、良好な回転操作性を確保できる。
【０００９】
また本発明は、上記発明において、上記押釦部の操作面を、上記回転操作部の操作面よりも硬質に設定したことを特徴としている。このように構成した本発明は、回転操作部の操作感触と押釦部の操作感触とを異ならせることができ、良好な複合操作感触を確保できる。
【００１０】
また本発明は、上記発明において、上記連結部と、上記回転操作部と、上記押釦部とは、一体形成したゴム体から成ることを特徴としている。このように構成した本発明は、連結部と回転操作部と押圧部とが１部材を形成するので部品数を少なくすることができる。
【００１１】
また本発明は、上記発明において、上記回転操作部の外周縁に、導電性のカバー部材を備えたことを特徴としている。このように構成した本発明は、カバー部材を介して静電気を外部に逃がすことができ、回転入力部及び押圧入力部の電気的保護を実現できる。
【発明の効果】
【００１２】
本発明は、回転操作部と押釦部とを一体化させる可撓性の連結部を備えたことから、回転操作部と押釦部との間にガタを生じさせない構造とすることができ、これにより従来に比べて製品品位を向上させることができる。
【発明を実施するための最良の形態】
【００１３】
以下，本発明に係る複合入力装置を実施するための最良の形態を図に基づいて説明する。
【００１４】
図１は本発明の複合入力装置の第１実施形態を示す平面図、図２は図１のＡ−Ａ断面図である。
【００１５】
本実施形態は、例えば携帯電話に備えられるものであり、これらの図１，２に示すように、基台１上に回転入力部に含まれる導電パターン形成部２と、押圧入力部に含まれる中央固定接点３及び周辺固定接点４，５と、押圧入力部に含まれ、周辺固定接点４，５に常時導通し、中央固定接点３に選択的に導通するドーム状の金属薄板から成る可動接点６とを備えている。中央固定接点３、周辺固定接点４，５及び可動接点６を含み、押圧操作を検出して信号を出力する押圧入力部の外周側の所定位置に、導電パターン形成部２を含む回転入力部が配置されている。
【００１６】
基台１の中央部分に形成した筒状部１ａを回転軸として、回転体７を回転自在に装着させてあり、この回転体７の上述した導電パターン形成部２に対向する面部には、導電パターン形成部２に備えられる導電パターン上を摺動する摺動子８が取り付けられている。すなわち、摺動子８と導電パターン形成部２によって、回転操作を検出し信号を出力する回転入力部が構成されている。
【００１７】
基台１の上面には、導電性材料から成る枠体９を固定してあり、この枠体９の一側端に形成した張出し部９ａを、基台１に埋設されるアース端子１０に導通させてある。
【００１８】
回転体７の上面にはスペーサ１１を配置してあり、このスペーサ１１を、スペーサ１１に備えられるフック部１１ａを介して回転体７に一体に係合させてある。
【００１９】
本実施形態の要部を構成するつまみ１２は、上述した回転入力部を操作する回転操作部１３と、上述した押圧入力部を操作する押釦部１４と、これらの回転操作部１３と押釦部１４とを、例えば押釦部１４の全周で連結する連結部１５とを備えている。回転操作部１３は、例えばスペーサ１１の上面に接着させてあり、押釦部１４は基台１の筒状部１ａの内部に回転自在に配置してある。この押釦部１４の下端によって押圧入力部に備えられるドーム状の可動接点６の反転動作が可能になっている。
【００２０】
また、上述した連結部１５と回転操作部１３と押釦部１４とは、一体形成してあり、可撓性を有する材料、例えばゴムから成っている。すなわち、連結部１５が可撓性を有すると共に、この連結部１５と回転操作部１３と押釦部１４とによって１部材から成るゴム体が形成されている。
【００２１】
押釦部１４の上面には、この押釦部１４の操作面を形成する金属材料から成るキャップ１６を備えている。すなわち、押釦部１４の操作面を、回転操作部１３のゴムより成る操作面よりも硬質に設定してある。
【００２２】
また、回転操作部１３及びスペーサ１１の外周縁には、導電性のカバー部材１７を配置してあり、このカバー部材１７の下端を、前述した枠体９に接近させるように配置してある。
【００２３】
本実施形態は、回転操作部１３のゴムより成る操作面に指を接触させて、その指により回転操作部１３を回転させると、この回転操作部１３と一体にスペーサ１１及び回転体７が、基台１の筒状体１ａを中心にして回転し、回転体７に設けた摺動子８が、基台１に設けた導電パターン形成部２の導電パターン上を摺動し、所定の回転信号が出力される。
【００２４】
また、硬質の操作面、すなわち金属材料から成るキャップ１６を介して押釦部１４を押圧すると、この押釦部１４が下降して基台１に設けた可動接点６が押釦部１４の下端によって押されて反転し、この可動接点６が中央固定接点３にも導通する。これにより所定の押圧信号が出力される。なお、押釦部１４に対する押圧力を解除すると、可動接点６は自身の保有するばね力により初期形状に復帰し、これに伴って押釦部１４が初期位置まで上昇する。このように、本実施形態は回転操作と押圧操作のそれぞれに応じて信号を出力させることができる。
【００２５】
このように構成した本実施形態は、回転操作部１３と押釦部１４とを可撓性を有する連結部１５を介して一体化したことから、回転操作部１３と押釦部１４とを隙間を介在させることなく連結でき、これらの回転操作部１３と押釦部１４との間にガタを生じさせることがない。これによって、優れた製品品位が得られる。
【００２６】
また、回転操作部１３と押釦部１４とが、押釦部１４の全周にわたって連結部１５で連結されているので回転操作部１３と押釦部１４との境界部分からの塵埃や異物の侵入を防止できる。これにより、回転入力部及び押圧入力部を塵埃等から保護することができ、信頼性の高い製品とすることができる。
【００２７】
また、回転操作部１５がゴム体から成ることから、回転操作部１５と、この回転操作部１５を操作する指との滑りをなくすことができ、良好な回転操作性を確保できる。したがって、優れた複合操作性の実現に貢献する。
【００２８】
また、押釦部１４の操作面を、回転操作部１３の操作面を形成するゴムよりも硬質の材料、すなわち金属材料から成るキャップ１６によって形成してあることから、回転操作部１３の操作感触は比較的柔らかく、押釦部１４の操作感触は硬い、すなわち、回転操作部１３の操作感触と押釦部１４の操作感触とを異ならせることができ、良好な複合操作感触を確保できる。したがって、これによっても優れた複合操作性の実現に貢献する。
【００２９】
また、連結部１５と、回転操作部１３と、押釦部１４とは、一体形成したゴム体から成っているので、これらの連結部１５と、回転操作部１３と、押釦部１４とを１部材とすることができ、部品数を少なくすることができる。したがって、組立作業等の能率向上を実現できる。
【００３０】
また、回転操作部１３の外周縁に、導電性のカバー部材１７を配置してあることから、静電気をカバー部材１７、枠体９の張出し部９ａを介してアース端子１０に逃がすことができ、回転入力部及び押圧入力部の電気的保護を実現できる。これによっても信頼性の高い製品とすることができる。
【００３１】
さらに、上述したカバー部材１７によってゴム体より成る回転操作部１３の外周縁が外部に露出しないように覆われるので、回転操作部１３が外力を受けてスペーサ１１から剥離することを防止でき、回転操作部１３からスペーサ１１を介して回転体７に回転力を確実に伝えることができ、この点で優れた耐久性を有する。
【００３２】
図３は本発明の第２実施形態を示す図２に相応する断面図である。この第２実施形態は、つまみ１８を構成する連結部２１と回転操作部１９とを、可撓性を有する材料、例えばゴムから成る一体形成物にしてあり、押釦部２０を、これらの連結部２１及び回転操作部１９とは別体の、例えば合成樹脂によって形成してある。この第２実施形態もゴム体より成る連結部２１は、回転操作部１９と押釦部２０とを、例えば押釦部２０の全周で連結、すなわち密着させて一体化させた構成にしてある。また、押釦部２０及び連結部２１の上面を覆うように、硬質の材料、例えば金属材料から成るキャップ１６を備えている。その他の構成は、前述した第１実施形態におけるのと同様である。
【００３３】
このように構成した第２実施形態も、回転操作部１９と押釦部２０とを一体化させる可撓性の連結部２１を備えていることから、上述した第１実施形態におけるのと同等の作用効果が得られる。また、回転操作部１９及び連結部２１と、押釦部２０とが２部材となって第１実施形態におけるような１部材とはならない点を除いて、上述した第１実施形態において得られる他の作用効果と同等の作用効果を得ることができる。
【００３４】
なお、上記各実施形態では、可撓性を有する連結部１５，２１がゴムから成っているが、本発明は、このようにゴムによって連結部２１を形成することには限られず、可撓性を有する合成樹脂によって形成することもできる。
【００３５】
また上記では、連結部１５，２１を押釦部２０の全周にわたって連結するように構成してあるが、塵埃等の侵入の虞がない場合などにあっては、全周にわたって連結しなくてもよい。例えば所定寸法ごとに隙間を形成し、その隙間の間に位置する連結部１５，２１の部分だけで押釦部２０に連結させるように構成してもよい。
【００３６】
また上記では、押釦部２０の上面に操作面を形成するキャップ１６を設けてあるが、このようなキャップ１６を設けないで、押釦部２０の上面を操作面として外部に露出させる構成にしてもよい。
【００３７】
また上記では、回転操作部１３をスペーサ１１を介して回転体７に接続させてあるが、スペーサ１１を設けずに、回転操作部１３を回転体７に直に接続する構成にしてもよい。
【図面の簡単な説明】
【００３８】
【図１】本発明の複合入力装置の第１実施形態を示す平面図である。
【図２】図１のＡ−Ａ断面図である。
【図３】本発明の第２実施形態を示す図２に相応する断面図である。
【符号の説明】
【００３９】
１    基台
１ａ  筒状部
２    導電パターン形成部（回転入力部）
３    中央固定接点（押圧入力部）
４    周辺固定接点（押圧入力部）
５    周辺固定接点（押圧入力部）
６    可動接点（押圧入力部）
７    回転体
８    摺動子（回転入力部）
９    枠体
９ａ  張出し部
１０    アース端子
１１    スペーサ
１１ａ  フック部
１２    つまみ
１３    回転操作部
１４    押釦部
１５    連結部
１６    キャップ
１７    カバー部材
１８    つまみ
１９    回転操作部
２０    押釦部
２１    連結部
【図１】
2006004711.tif 000003
【図２】
2006004711.tif 000004
【図３】
2006004711.tif 000005